(57)【要約】      （修正有）【課題】毛髪に薬剤を浸透させる際に容易に施術が可能な構造を有する電動コームを提供する。【解決手段】複数の櫛歯を有するコーム部１とモーター１３を内蔵する把持部２と蓄電池を格納する電池ケース３を備える電動コームであって、コーム部の底端部が把持部の上端部に連結され、把持部内のモーターの駆動により回転軸１１の回転運動が偏心円板１２に伝わり、振動を発生させる構成を備え、コーム部と把持部を含む電動コーム全体を振動させることで、コーム部の櫛歯上に付着させている薬剤の毛髪への塗布及び浸透を容易にさせる。【選択図】図２
0003152320.tif 000002
【実用新案登録請求の範囲】
【請求項１】
複数の櫛歯を有するコーム部と、電動モーターを内蔵した把持部と、蓄電池を格納する電池ケースとを備える電動コームであって、
上記コーム部の底端部を上記把持部の上端部に連結し、上記把持部の下端部に上記電池ケースを連結して、上記電動モーターを駆動させ振動を発振させる、
ことを特徴とする電動コーム。
【請求項２】
上記把持部に内蔵された電動モーターは、駆動した際の回転運動を発生させる回転軸を備え、当該回転軸には偏心円板が固定され、当該偏心円板が回転運動することで振動を発振させる、
ことを特徴とする上記請求項１に記載の電動コーム。
【請求項３】
上記コーム部は、上記把持部に着脱可能に構成されていることを特徴とする、
上記請求項１又は２に記載の電動コーム。
【請求項４】
上記コーム部には、底端部に支軸挿入口が形成され、
上記把持部には、上端部に支軸が形成され、
上記支軸が上記支軸挿入口に嵌挿されることで、上記コーム部と上記把持部が連結される、
上記請求項１〜３に記載の電動コーム。
【請求項５】
上記把持部の上端周辺には複数の突部が形成さている、
ことを特徴とする上記請求項１〜４に記載の電動コーム。
【請求項６】
上記電池ケースの底端部周辺には複数の条溝が形成されている、
ことを特徴とする上記請求項１〜５に記載の電動コーム。
【請求項７】
上記把持部の外径の大きさは３段階になっており、電動モーターを内蔵している部分が最も大径であり、当該部分より上端部分は先端に向かい徐々に小径になり、下端部が小径の略円柱形を形成する、
ことを特徴とする上記請求項１〜６に記載の電動コーム。
【請求項８】
上記把持部の下端部外周には、突条が周設される、
ことを特徴とする上記請求項１〜７に記載の電動コーム。
【請求項９】
上記把持部の下端部分の内周には、電池ケースと連結するための係合突起が形成され、
上記電池ケースの開口端の外周部分には、上記係合突起を受け付けるＬ字型案内溝が形成され、
上記電池ケースの開口端を上記把持部の開口端に嵌挿させ、回転させることで連結される、
ことを特徴とする上記請求項１〜８に記載の電動コーム。
【考案の詳細な説明】
【技術分野】
【０００１】
本考案は、毛髪に薬剤を浸透させる際に使用される電動コームに関する。
【背景技術】
【０００２】
一般に、毛髪は、頭皮の表面から外に出ている部分の毛髪（毛幹部）と頭皮表面から内側に深く潜っている部分の毛髪（毛根部）に区別されている。通常、毛髪と呼ばれている毛幹部は皮膚などと違い、一度傷つくと毛髪自体に治癒する能力がないため、その傷は治らない。
また、毛髪の構造は、中心に毛髄質（メデュラ）、それを取り囲むように毛皮質（コルテックス）と細胞膜複合体（ＣＭＣ）を含むコルテックス領域、さらにその周りに毛表皮（キューティクル）と細胞膜複合体（ＣＭＣ）を含むキューティクル領域、と呼ばれる３層構造になっている。これらは、すべてアミノ酸が化学結合して構成されている。
【０００３】
キューティクル領域では、毛表皮（キューティクル）は無色透明なウロコ状であり、１枚で毛髪の外周の１／２〜１／３を包み、瓦屋根のように重なっており、外部に見えているのは１枚の毛表皮（キューティクル）の上部２０％程度と言われている。キューティクル領域にある細胞膜複合体（ＣＭＣ）は毛表皮（キューティクル）と毛表皮（キューティクル）の隙間に存在しており、役割として、毛表皮同士の接着、外部からの物理的又は化学的刺激から毛髪内部を保護し、毛髪成分の外部への流出を防ぐ働きをする。つまり、毛髪の水分を保持し水や薬剤の通り道の役割も果たしている。また、キューティクル領域が毛髪全体に占める割合は１０〜１５％であり、毛髪のツヤや手触り硬さを決定し、さらにブラッシング等の物理的刺激及び、水や薬剤といった化学的刺激から毛髪内部を保護している。
コルテックス領域では、毛皮質（コルテックス）が縦方向につながり規則的配列しており、コルテックス領域の細胞膜複合体（ＣＭＣ）も水分を保持し水や薬剤の通り道の役割を果たしている。このコルテックス領域が毛髪全体に占める割合は８５〜９０％であり、水分を保持し毛髪の強度や髪色(コルテックス内にあるメラニン色素による)を決定している。これら、毛髪の構造を有するために、細胞膜複合体（ＣＭＣ）の毛細管現象により、水分は毛髪内の隅々まで行き渡り繊維を膨潤させ、一方で繊維中の水分が驚くほど速く毛髪繊維の外部に排泄される。また、毛髄質は毛髪断面の５％程度の割合で存在している。
【０００４】
従来は、毛髪への薬剤の施術において、一般に使用される櫛に替えて、櫛が振動する電動櫛が知られている。例えば、櫛部の往復運動により、毛髪に薬剤を浸透させる際に使用する電動ヘアコームが従来技術として知られている。また、頭皮の細胞を活性化させる手軽な血行促進を目的とする電動櫛が従来技術として知られている。
【先行技術文献】
【特許文献】
【０００５】
【特許文献１】特開２００８−１９４２５２号公報
【特許文献２】特開平１０−１９２４１９号公報
【考案の概要】
【考案が解決しようとする課題】
【０００６】
しかしながら、従来技術は、櫛部が駆動軸方向への往復運動、若しくは支軸方向への往復運動をする構造を有している。そのために、毛髪への染料等の薬剤を塗布する際に、毛髪一本における均一な塗布、毛髪全体に係る均一な薬剤の塗布、が容易かつ十分にできないという問題があった。
【０００７】
また、従来技術に基づく構成の機器を使用すると、振動方向と毛髪方向が直交することにより、毛髪の表面を損傷させる恐れが問題であった。
【０００８】
そこで本考案は、上記課題を解決するものであり、染料等の薬剤を毛髪に塗布する際に、毛髪全体に薬剤を塗布することを容易にすると共に、薬剤の毛髪への浸透を促進させることを目的とする。
【課題を解決するための手段】
【０００９】
上記の課題を解決するために、本考案では、複数の櫛歯を有するコーム部と、電動モーターを内蔵した把持部と、蓄電池を格納する電池ケースとを備える電動コームであって、上記コーム部の底端部を上記把持部の上端部に連結し、上記把持部の下端部に上記電池ケースを連結して、上記電動モーターを駆動させ振動を発振させる、ことを特徴とする。
【００１０】
上記コーム部には、底端部に支軸挿入口が形成され、上記把持部には、上端部に支軸が形成され、上記支軸が上記支軸挿入口に嵌挿されることで、上記コーム部と上記把持部が連結される、を特徴とする。
【００１１】
上記コーム部は、上記把持部に着脱可能に構成されていることを特徴とする。
【００１２】
上記把持部に内蔵された電動モーターは、駆動した際の回転運動を発生させる回転軸を備え、当該回転軸には偏心円板が固定され、当該偏心円板が回転運動することで振動を発振させる、ことを特徴とする。
【考案の効果】
【００１３】
本考案は、毛髪への薬剤を浸透させる施術が容易に可能となる効果を奏する。
【図面の簡単な説明】
【００１４】
【図１】本考案の一の実施形態に係る電動コームの側面図
【図２】本考案の一の実施形態に係る電動コームの内部構造を示す断面図
【図３】（ａ）図２に係るコーム部の正面視断面図の詳細          （ｂ）図２に係るコーム部の側面視断面図の詳細（ｃ）図２に係る把持部の正面視断面図の詳細（ｄ）図２に係る把持部の側面視断面図の詳細（ｅ）図２に係る電池ケースの正面視断面図の詳細
【図４】（ａ）図３（ｃ）に係る支軸の正面視図の詳細          （ｂ）図３（ｄ）に係る支軸の正面視図の詳細          （ｃ）支軸の平面視図の詳細          （ｄ）コーム部の底端部に係る底面視図の詳細
【図５】本考案の一の実施形態に係る電動コームの使用例
【考案を実施するための形態】
【００１５】
本考案の実施形態として電動コームには、本体から振動を発振させ、コーム部１を介して毛髪へ向けて伝播され、若しくは、コーム部１上の薬剤を介して毛髪へ向け伝播される超音波振動コームや、把持部２に内蔵されて偏心円板１２つき電動モーター１３による回転運動による微振動を発振させ、コーム部１を介して毛髪に向け伝播される電動コームが含まれる。
【００１６】
電動コームは、複数の櫛歯４を有するコーム部１が、電動モーター１３を内蔵した把持部２の上端部に固定して突出する支軸１０に連結し、把持部２の下段部２ｃには蓄電池８を格納した電池ケース３が連結されることで構成されている。
【実施例１】
【００１７】
以下、本考案の実施の形態について、詳細に説明する。
図１は、本考案の一の実施形態に係る電動コームの外観図である。
電動コームの露出部分の形状において、把持部２と電池ケース３から成る本体に係る形状を露出部分について詳細に説明する。電動コームを構成する電池ケース３、把持部２、コーム部１の順に垂直上方向として説明する。なお、把持部２のうち、コーム部に近接する部分を把持部上段部２ａ、電動モーター１３が内蔵されている部分を把持部中段部２ｂ、電池ケース３と係合する内周部分を含む把持部下段部２ｃと呼ぶ。
【００１８】
電動コームの露出部分に係る外径については、把持部２と電池ケース３の連結された本体の外形は、大きく四段階の外周の径に分けられた略円柱状に形成されている。
把持部中段部２ｂに位置し内部にモーターが内蔵されている垂直方向部分に係る外径が、電動コーム全体のうちで最も大径となる。把持部下段部２ｃは上記中段部２ｂよりも小径となり、さらに、下段部２ｃ外周面上には、複数の略外円周状に突条が円周方向に周設され、垂直方向には凹凸が形成され、当該突条の凸平面を外周とする外径は、上記中段部２ｂの外径よりも小径である。一方、把持部上段部２ａは、中段部２ｂの境界線から先端に向けて徐々に外径が小径になるように形成され、図２等の断面図で示されるように露出部分は流線形状を形成する。さらに、把持部上段部２ａと中段部２ｂの境界線上付近に形成され、曲面形状の突部５が配設されている。
【００１９】
把持部上段部２ａには支軸が突出して形成されており、コーム部の底端部に形成された挿入口に嵌挿させ固定される。また、把持体底端部は、開口端状に形成され、内周部分は電池ケース３が嵌挿された際に、係合するよう構成されている。
電池ケース３の上端部は開口端状に形成され、外周部分は把持体底端部の開口端内周部分と係合して連結する。
【００２０】
次に、図２は、本考案の一の実施形態に係る電動コームの内部構造を示す断面図である。
電動コームは、複数の櫛歯４を有するコーム部１が、電動モーター１３を内蔵した把持部２の上端部に固定して突出する支軸１０に連結し、把持部２の下段部２ｃには蓄電池８を格納した略円柱形状の電池ケース３が連結されることで構成されている。
コーム部１は支軸挿入口９を有し、把持部２の上端部に直上に突出した支軸１０を設け、支軸挿入口９に支軸１０を嵌挿させ、コーム部１と把持部２を連結する構成を有する。
【００２１】
コーム部１は、いわゆる一般的な櫛と同様に、複数の櫛歯４を有し、髪を梳くために有効な本数と間隔と長さにより櫛歯４は構成されている。コーム部１の底端部には支軸挿入口９が形成され、把持部２の先端部に形成された支軸４が嵌挿されるのを受け付け、コーム部１と把持部２が連結固定される。これにより、コーム部１は着脱可能になる。
なお、コーム部２の形状は図２等に示したもの限られるものではなく、用途により図示された形状とは異なる形状を有するコーム部を取り付けて使用することが可能になる。
【００２２】
また、コーム部１の底端部に形成された支軸挿入口９と、把持部２の先端部に形成された支軸１０の形状は、単に嵌挿を受け付けるだけでなく、把持部２に対するコーム部１の回転を防止する形状に形成されている。この回転防止となる支軸挿入口９と支軸１０の形状は後述にて詳細に説明する。ここでは、支軸の先端部が四角柱状の面を有する形状である場合であるが、これに限られるものではない。
【００２３】
この支軸挿入口９の形状について、図３（ａ）及び図３（ｂ）、図４（ｄ）を参照して説明する。
コーム部１の底端部に開口された形状は、底面視図である図４（ｄ）の通り、略円柱形に形成されている。支軸１０の外径と、対をなす半円形部材２４の内径が同一若しくは略同じ大きさであるために、上記支軸１０が支軸挿入口９に嵌挿され接することで保持される。また、支軸挿入口９は、開口端から所定の距離で上部（深部）になると略円柱形状から、略四角柱形状となっている。
これにより、コーム部１と把持部２が結合した際に、コーム部が回転することが防止でき、安定して固定することが可能になる。
また、支軸挿入口９の開口端部分が連続性のある円形状ではなく、円柱の側面部分のうち略半円周分の形状に近似できる一対の半円柱側面形部材２４により形成されていることにより、支軸１０の略円錐形状１８による外径の増加に対して、円周欠損部分の空間により半円柱側面形部材２４の両端部分がたわむことで、嵌挿が可能になり、より安定して固定される。
【００２４】
次に、電池ケース３は、有底筒状に外径は同一に形成され、開口端の外周は、把持部２の下端の開口に嵌挿される。電池ケース３の開口端外周面の外径よりも小径である。電池ケース３の内部には蓄電池８を格納し、把持部２の下段部２ｃと係合させる。
把持部下段部２ｃの開口端内周に周設された係合突部１４が、電池ケース３の上端部外周に条溝されたＬ字案内溝２６に嵌め合わせられ、電池ケース３を回転させることで、係合される。
連結部分は、電池ケース３を挿入した後に、把持部２に対して電池ケース３を回転させることで、電池ケース３に設けられた導電性部材２５と電動モーター１３に設けられた導電性部材２５が接触して、蓄電池８と電動モーター１３が導電性部材２５を介して電気的に回路接続されることで、電動モーター１３が駆動する構成を有している。
【００２５】
次に、把持部２について詳細に説明する。
把持部２は、中段部２ｂが最も大径で先端部に向かうにつれて徐々に小径になっていく上段部２ａと、開口端である下段部２ｃは中段部２ｂよりも小径であり電池ケース３の外径よりも大径に形成されている。
また、図２の内部構造を用いて説明する。格納されている電動モーター１３からは回転軸１１が中心垂直軸方向に突出している。この回転軸１１には、偏心円板１２が固定されている。電動モーター１３の回転運動が回転軸１１に伝わり偏心円板１２が回転することで、電動コーム全体が振動する構成を有している。偏心の程度は任意でよく、電動コーム全体が微振動する程度でもよい。例えば、上記構成によれば、毎分７０００〜９０００回転の偏心円板１２の回転運動により、微振動を得ることが可能である。
【００２６】
次に、支軸１０について説明する。図４（ａ）は、図１及び図２を正面視方向とした場合の、支軸１０の正面視図の詳細である。同様に、図４（ｂ）は、支軸１０の側面視図の詳細である。同様に、図４（ｃ）は、支軸の平面視図の詳細である。図４（ｄ）はコーム部１の底面視図である。
以下、図４（ａ）〜（ｃ）を参照して詳細に支軸１０を説明する。支軸１０は、全体として略円柱形状に形成されている。そのうえで、詳細には、支軸１０の底端部方向から、上方向に徐々に小径になる略円錐形状部２０と、上方向に徐々に大径になる略円錐形状部１９と、上方向に徐々に微細に小径になる略円錐形状部１８と、略円柱形状部１７と、略円形状曲面１６と、略六角形平面１５と、略円柱状の外周側面２３と、略円錐状の外周側面２２と、略長方形状で短辺が略半円形状の上端面２１に形成されている。
図４（ａ）は、図３（ａ）の支軸挿入口９に嵌挿する場合の視図であり、図４（ｂ）は、図３（ｂ）の支軸挿入口９には嵌挿する場合の視図である。
【００２７】
支軸１０では、略円柱外周側面２３を外周とする略円柱形状部分の外径が同一であり、上端部に向かう略円錐状の外周側面２２を包含する略円錐状部分が徐々に小径になり、略円錐形状部１８の外径は下端方向に上記外周側面２３を包含する略円柱形状部分から微小に大径になり、略円錐形状部１８と略円錐形状部１９との境界線が支軸１０のうち最も大径になり、略円錐形状部１９と略円錐形状部２０は、両境界線に向けて徐々に小径なり、当該境界線上の外径が支軸１０のうち最も小径になっている。
【００２８】
また、図４（ｄ）を参照して、コーム部１に底端部に形成されている支軸挿入口９と支軸１０との連結について説明する。
略円柱形状に形成される支軸挿入口９は、開口端周辺部に円周状の一部欠損の略円状若しくは一対の略半円柱形状の半円柱側面形部材２４が形成され、支軸１０を圧接する。
また、支軸挿入口９の閉口端深部は略長方四角柱状に形成され、支軸１０の表面のうち上端面２１と、略円錐状の外周側面２２と、略円柱状の外周側面２３の一部と、六角形平面１５の一部が、接するように嵌挿される。
【００２９】
なお、支軸１０は、把持部２の先端部に形成され、コーム部１と連結するため、また、微振動をする構成を考慮して、金属製であることが望ましいが、上記構成による永久性の高い素材を用いた部材であれば金属製に限定されるものではない。
【００３０】
上記構成を有する電動コームに基づき、中心軸に対して電池ケース３を回転することにより、電動コームの電源が入り、把持部２の電動モーター１３が駆動することで回転軸１１に固定された偏心円板１２の回転運動に基づく微振動を発振させ、コーム部１の櫛歯４に振動が伝播して、毛髪への薬剤の塗布の施術が容易になる
【００３１】
また、本考案に係る電動コームの使用例について説明する。図５に例示のように電動コームを使用する際の把持例が可能となる。電動コーム全体が使用する者の手中に収まりよく把持され、上記構成の振動に基づく使用時の扱いやすさを向上させる露出部分の形状となっている。
例えば、電池ケース３の閉口底端部が使用する者の掌上に接し、電池ケース３の外周側面に小指、把持部下段部２ｃの側面に薬指、把持部中央部２ｂの側面に中指、把持部上段部２ａ若しくは上段部２ａと中央部２ｂの境界線付近に形成された突部５周辺に人指し指と親指、を接することで、電動コームの従来にはない持ち易さ実現される効果を奏する。
【００３２】
さらに、毛髪と電動コームのコーム部１が垂直に交わると仮定して説明する。図５を参照すると、下方向に電動コームが進行する。この場合、電動コームの進行方向に対する反対方向には、毛髪や薬剤による摩擦力等の抗力が発生し、電動コームのコーム部１には負荷が掛かる。また、コーム部１に掛かる負荷は、支軸挿入口９に嵌挿された支軸１０にも負荷が掛かる。このとき、支軸１０の六角形平面１５に対して垂直に力が作用することで、効力を分散して受け止め、抗力の方向に対して、耐用度の高い構造となっています。また、コーム部１の支軸挿入口９に係る半円柱側面形部材２４の欠損部分が抗力とは垂直方向に形成されているために、毛髪を梳く際の抗力に対して、コーム部１が不安定に揺らぐことも防げる構成となっている。
【００３３】
以上説明した通り、上記実施の形態では、電動コームを毛髪への薬剤の塗布に使用したし際に、毛髪を傷つけることなく、薬剤の毛髪内部への十分な浸透が可能となる。
【００３４】
また、上記構成によれば、電動コームは全体として複雑な機構を備えていないので、使用頻度を重ねても、故障する危険性が低く耐久性が高い構成と言える。
【００３５】
また、把持部上端部は閉口面であり、把持部２と電池ケースの連結面も密接して連結されているので、電動コーム内部への水分の侵入を防止する効果もある。
【００３６】
なお、以上の説明において、毛髪への薬剤の塗布のための装置及び方法について説明をしたが、本考案はこれに限るものではない。
【符号の説明】
【００３７】
１  コーム部
２  把持部
３  電池ケース
４  櫛歯
５  突部
６  突条
７  条溝
８  蓄電池
９  支軸挿入口
１０  支軸
１１  回転軸
１２  偏心円板
１３  電動モーター
１４  係合突部
１５  六角形平面
１６  略円形状曲面
１７  略円柱形状部
１８  略円錐形状部
１９  略円錐形状部
２０  略円錐形状部
２１  上端面
２２  略円錐状外周側面
２３  略円柱状外周側面
２４  半円柱側面形部材
２５  導電性部材
２６  Ｌ字案内溝
【図３】
0003152320.tif 000003
【図４】
0003152320.tif 000004
【図１】
0003152320.tif 000005
【図２】
0003152320.tif 000006
【図５】
0003152320.tif 000007
【手続補正書】
【提出日】平成21年4月20日(2009.4.20)
【手続補正１】
【補正対象書類名】実用新案登録請求の範囲
【補正対象項目名】全文
【補正方法】変更
【補正の内容】
【実用新案登録請求の範囲】
【請求項１】
複数の櫛歯を有するコーム部と、電動モーターを内蔵した把持部と、蓄電池を格納する電池ケースとを備える電動コームであって、
上記コーム部の底端部を上記把持部の上端部に連結し、上記把持部の下端部に上記電池ケースを連結して、上記電動モーターを駆動させ振動を発振させる、
ことを特徴とする電動コーム。
【請求項２】
上記把持部に内蔵された電動モーターは、駆動した際の回転運動を発生させる回転軸を備え、当該回転軸には偏心円板が固定され、当該偏心円板が回転運動することで振動を発振させる、
ことを特徴とする上記請求項１に記載の電動コーム。
【請求項３】
上記コーム部は、上記把持部に着脱可能に構成されていることを特徴とする、
上記請求項１又は２に記載の電動コーム。
【請求項４】
上記コーム部には、底端部に支軸挿入口が形成され、
上記把持部には、上端部に支軸が形成され、
上記支軸が上記支軸挿入口に嵌挿されることで、上記コーム部と上記把持部が連結される、
上記請求項１〜３のいずれか一項に記載の電動コーム。
【請求項５】
上記把持部の上端周辺には複数の突部が形成されている、
ことを特徴とする上記請求項１〜４のいずれか一項に記載の電動コーム。
【請求項６】
上記電池ケースの底端部周辺には複数の条溝が形成されている、
ことを特徴とする上記請求項１〜５のいずれか一項に記載の電動コーム。
【請求項７】
上記把持部の外径の大きさは３段階になっており、電動モーターを内蔵している部分が最も大径であり、当該部分より上端部分は先端に向かい徐々に小径になり、下端部が小径の略円柱形を形成する、
ことを特徴とする上記請求項１〜６のいずれか一項に記載の電動コーム。
【請求項８】
上記把持部の下端部外周には、突条が周設される、
ことを特徴とする上記請求項１〜７のいずれか一項に記載の電動コーム。
【請求項９】
上記把持部の下端部分の内周には、電池ケースと連結するための係合突起が形成され、
上記電池ケースの開口端の外周部分には、上記係合突起を受け付けるＬ字型案内溝が形成され、
上記電池ケースの開口端を上記把持部の開口端に嵌挿させ、回転させることで連結される、
ことを特徴とする上記請求項１〜８のいずれか一項に記載の電動コーム。